Podtech/llm-jp-corpus-v4-ja_patent huggingface dataset:
【手続補正書】
【提出日】平成17年11月4日(2005.11.4)
【手続補正１】
【補正対象書類名】明細書
【補正対象項目名】００４０
【補正方法】変更
【補正の内容】
【００４０】
次に、図８は、本発明の実施の形態の第３例を示している。上述した第１〜２例の場合が、肩部４６ａの軸方向両端部に段部３０を形成していたのに対し、本例の場合には、この段部３０を、肩部４６ｂの軸方向一端部（図８の右端部）にのみ形成する事により、加工工数の低減を図っている。又、本例の場合、上記段部３０は、上記肩部４６ｂの軸方向両端部のうち、この肩部４６ｂの高さ寸法（この肩部４６ｂの基端縁である内側係合溝７の底面７ａから、この肩部４６ｂの先端面である内輪２Ｃの外周面２ａまでの直径方向に亙る寸法）が大きい側の端部（図８の右端部）に形成している。本例の場合、上記段部３０を上記肩部４６ｂの高さ寸法が大きい側の端部に形成する事とした理由は、以下の通りである。
【手続補正２】
【補正対象書類名】明細書
【補正対象項目名】００４３
【補正方法】変更
【補正の内容】
【００４３】
ところで、上記等速ジョイントの運転時に、この等速ジョイントのジョイント角が大きくなり、しかも大きなトルクを伝達する事に伴い、この等速ジョイントを構成する各ボール４（図１）が上記肩部４６ｂの端部に形成した上記段部３０の端縁に乗り上げた場合には、前記内側係合溝７に対する上記各ボール４の接触楕円が上記段部３０の端縁部分で途切れ、これら各ボール４の転動面に所謂エッジロードが加わる。これら各ボール４の転動面にこの様なエッジロードが加わると、これら各ボール４の転がり疲れ寿命が著しく低下する。但し、この場合に、上記各ボール４の転動面と上記段部３０の端縁との接触圧を小さくできれば、上記エッジロードによる転がり疲れ寿命の低下を抑える事ができる。この為、本例の場合には、上記エッジロードによる上記各ボール４の転がり疲れ寿命の低下を抑えるべく、これら各ボール４の転動面と上記段部３０の端縁との接触圧が最も小さくなる部分である、上記肩部４６ｂの高さ寸法が最大となる側の端縁（図８の右端縁）に、前記段部３０を形成する事とした。その他の構成及び作用は、前述した第１例の場合と同様である。
【手続補正書】
【提出日】平成17年12月16日(2005.12.16)
【手続補正１】
【補正対象書類名】明細書
【補正対象項目名】特許請求の範囲
【補正方法】変更
【補正の内容】
【特許請求の範囲】
【請求項１】  文書読取システムであって、
スキャンされたユーザの文書を届けるための文書読取装置と、
前記文書読取装置からの前記スキャンされた文書を受け取る走査サーバと、
前記走査サーバからの要求を受けてメタデータを収集するメタデータ収集サービスと、
前記メタデータ収集サービスから能力記述の要求を受けるリポジトリマネージャと、
前記メタデータ収集サービスによりフォーマットされたＥメールを前記ユーザに送るＥメールサーバと、を備え、
前記ユーザからメタデータ値を取得することで前記Ｅメールを編集し、格納と前記リポジトリマネージャによる検索のために前記Ｅメールを前記メタデータ収集サービスに送ることを特徴とする文書読取システム。
【請求項２】  文書メタデータの読取方法であって、
文書読取装置によりスキャンされた文書を走査サーバに届けるステップと、
メタデータ収集サービスに対し前記走査サーバによるメタデータの収集を要求するステップと、
リポジトリマネージャに対し前記メタデータ収集サービスからの能力記述を要求するステップと、
前記メタデータ収集サービスによりフォーマットされたＥメールをＥメールサーバからユーザに送るステップと、を備え、
前記ユーザからメタデータ値を取得することで前記Ｅメールを編集し、格納と前記リポジトリマネージャによる検索のために前記Ｅメールを前記メタデータ収集サービスに送ることを特徴とする文書メタデータの読取方法。
【請求項３】  文書読取システムであって、
文書読取装置によりスキャンされた文書を走査サーバに届ける手段と、
メタデータ収集サービスに対し前記走査サーバによるメタデータの収集を要求する手段と、
リポジトリマネージャに対し前記メタデータ収集サービスからの能力記述を要求する手段と、
前記メタデータ収集サービスによりフォーマットされたＥメールをＥメールサーバからユーザに送る手段と、を備え、
前記ユーザからメタデータ値を取得することで前記Ｅメールを編集し、格納と前記リポジトリマネージャによる検索のために前記Ｅメールを前記メタデータ収集サービスに送ることを特徴とする文書読取システム。
【手続補正書】
【提出日】平成17年12月5日(2005.12.5)
【手続補正１】
【補正対象書類名】明細書
【補正対象項目名】特許請求の範囲
【補正方法】変更
【補正の内容】
【特許請求の範囲】
【請求項１】  ストレージエリアネットワークに関連するデータライブラリ分割システムであって、
データ記憶媒体を収容するように適合される複数の収容スロット要素であって、少なくとも１つの前記収容スロット要素からなる少なくとも１つのセットが複数のパーティションの１つのパーティションに割当てられる複数の収容スロット要素と、
前記データ記憶媒体を受け取り、前記データ記憶媒体へ／からデータを転送するように適合される複数のデータ転送要素であって、少なくとも１つの該データ転送要素からなる少なくとも１つのセットそれぞれは前記パーティションの１つに割当てられ、前記パーティションそれぞれの少なくとも１つのデータ転送要素は、前記パーティションそれぞれの仮想コントローラの論理要素名称をホストし、前記仮想コントローラは、前記データ記憶媒体の移動を前記パーティションのうちの同じパーティションに割当てられた前記収容スロット要素のセットと前記データ転送要素のセットとの間に制限する、複数のデータ転送要素と、
を備えるシステム。
【請求項２】  前記パーティションの少なくとも１つはセキュア化され、該セキュア化されたパーティションの特定の１つへのアクセスは、該特定のパーティションへのアクセスについての一意のホストデバイス識別子のリストにリストされる一意のホストデバイス識別子を有する前記データライブラリのユーザに制限される請求項１記載のシステム。
【請求項３】  セキュア化されたパーティションについての一意のホストデバイス識別子のリストが空であると、前記セキュア化されたパーティションがどのユーザのアクセスからもセキュア化されることになる、請求項２記載のシステム。
【請求項４】  前記一意のホストデバイス識別子のリストは、前記パーティションそれぞれにおける少なくとも１つのデータ転送要素によって維持される、請求項２または３記載のシステム。
【請求項５】  前記データ転送要素はデータテープドライブに接続されるファイバチャネルである、請求項１または２記載のシステム。
【請求項６】  前記論理要素名称はＳＣＳＩ（small computer systems interface）論理装置番号である請求項１または２記載のシステム。
【請求項７】  前記仮想コントローラの論理装置番号は、前記データライブラリのＳＣＳＩ  ＩＤの形で取り決められる請求項６記載のシステム。
【請求項８】  ストレージエリアネットワークに関連するデータライブラリを分割する方法であって、
前記データライブラリに複数のパーティションを確立することであって、前記パーティションはそれぞれ少なくとも１つの収容スロット要素および少なくとも１つのデータ転送要素を備え、前記収容スロット要素はそれぞれ媒体を収容するように適合され、前記データ転送要素はそれぞれ、前記媒体を受け取り、前記媒体へ／からデータを転送するように適合され、
異なる論理要素名称を前記データライブラリのパーティションにそれぞれに割当て、また、前記パーティションにおける前記データ転送要素の少なくとも１つがホストする仮想コントローラに前記パーティションと同じ論理要素名称を割当てること、
同じパーティションに割当てられた前記パーティションと前記データ転送要素との間での前記媒体の移動を制限することとを含む方法。
【請求項９】  前記パーティションそれぞれにアクセスし得る一意のホストデバイス識別子のリストを割当てることによって前記パーティションのうち選択されたパーティションをセキュア化することをさらに含む、請求項８記載の方法。
【請求項１０】  パーティションにアクセスし得る前記一意のホストデバイス識別子のリストを前記パーティションにおける前記データ転送要素の少なくとも１つに維持することをさらに含む、請求項８または９記載の方法。
【手続補正書】
【提出日】平成17年12月5日(2005.12.5)
【手続補正１】
【補正対象書類名】明細書
【補正対象項目名】特許請求の範囲
【補正方法】変更
【補正の内容】
【特許請求の範囲】
【請求項１】  データ媒体へのアクセスをセキュア化する方法であって、
データ転送要素がアクセス許可されている媒体の少なくとも１つの一意の識別子を前記データ転送要素の記憶装置にリストするステップと、
前記データ転送要素を使用して、媒体のカートリッジメモリの前記リストされた一意の識別子のうちの少なくとも１つを有する媒体のみにアクセスするステップと、
選択された媒体のカートリッジメモリに、一意の識別子が割り当てられたライブラリが存在しないことに応答して、前記データ転送要素を使用して前記データ転送要素に関連する一意の識別子を前記選択された媒体の前記カートリッジメモリに書き込むステップと、
を含む方法。
【請求項２】  前記データ転送要素を使用して、前記選択された媒体の前記カートリッジメモリから一意の識別子を読み出すステップと、
前記データ転送要素の前記記憶装置を、前記選択された媒体カートリッジメモリからの前記一意の識別子についてチェックするステップと、
をさらに含む、請求項１記載の方法。
【請求項３】  前記書き込むステップは、前記選択された媒体にアクセスするステップをさらに含む、請求項１または２記載の方法。
【請求項４】  前記アクセスするステップは、前記データ転送要素の前記記憶装置に前記選択された媒体の前記一意の識別子が存在しないことに応答して、前記選択された媒体をイジェクトするステップをさらに含む、請求項１または２記載の方法。
【請求項５】  前記データ転送要素および該データ転送要素がアクセス許可されている前記媒体は、データライブラリパーティションの一部である、請求項１または２記載の方法。
【請求項６】  選択された媒体のカートリッジメモリ中の既存の一意の識別子を、前記データ転送要素に関連する前記リストされた一意の識別子のうちの１つで上書きするステップをさらに含む、請求項１記載の方法。
【請求項７】  前記媒体の少なくとも１つは、以前に一意の識別子が割り当てられた媒体、新しい空の媒体、誤って前記データ転送要素に配置された媒体、およびインポートされた媒体からなる媒体群から選択される、請求項１または６記載の方法。
【請求項８】  分割されたデータライブラリの特定のパーティションにおけるデータ媒体へのアクセスをセキュア化する方法であって、
前記パーティション中のデータ転送要素がアクセス許可されている媒体の少なくとも１つの一意の識別子を前記パーティション中の前記データ転送要素の記憶装置にリストするステップと、
前記データ転送要素が選択された媒体を受け取ることで、前記選択された媒体のカートリッジメモリから一意の識別子を読み出すステップと、
前記選択された媒体を受け取る前記データ転送要素の前記記憶装置を、前記選択された媒体の前記一意の識別子についてチェックするステップと、
前記選択された媒体の前記一意の識別子が、前記選択された媒体を受け取る前記データ転送要素の前記記憶装置に存在することに応答して、前記選択された媒体にアクセスするステップと、
を含む方法。
【請求項９】  前記選択された媒体を受け取る前記データ転送要素の前記記憶装置に前記選択された媒体の前記一意の識別子がないことに応答して、前記選択された媒体をイジェクトするステップをさらに含む、請求項８記載の方法。
【請求項１０】  前記選択された媒体の前記カートリッジメモリに一意の識別子が割り当てられたライブラリが存在しないことに応答して、前記パーティションに関連する一意の識別子を前記選択された媒体の前記カートリッジメモリに書き込むステップをさらに含む、請求項８または９記載の方法。
【手続補正書】
【提出日】平成17年12月5日(2005.12.5)
【手続補正１】
【補正対象書類名】明細書
【補正対象項目名】特許請求の範囲
【補正方法】変更
【補正の内容】
【特許請求の範囲】
【請求項１】  ストレージエリアネットワークに取り付けるように適合されるデータライブラリであって、
複数のパーティションと、
前記パーティションの１つにそれぞれ割り当てられ、内部的に一意の要素アドレスがそれぞれに割り当てられる少なくとも１つのデータ転送要素と、
前記パーティションにそれぞれ割り当てられ、内部的に一意の要素アドレスがそれぞれに割り当てられる複数のデータ収容要素スロットと、
前記パーティションが共有する少なくとも１つの媒体移送要素であって、前記データ収容要素スロットと前記少なくとも１つのデータ転送要素との間で媒体を移動させ、内部的に一意の要素アドレスが割り当てられる少なくとも１つの媒体移送要素と、
異なる論理装置名称を前記パーティションそれぞれに割り当て、前記パーティションそれぞれの前記少なくとも１つの媒体移送要素、前記少なくとも１つのデータ転送要素、および前記データ収容要素スロットに外部要素アドレスを割り当て、前記内部的に一意のアドレスを前記外部アドレスにマッピングするライブラリコントローラであって、同じパーティションに割り当てられた前記データ収容要素スロットへの／からの媒体の移動を制限するライブラリコントローラと、
を備えるデータライブラリ。
【請求項２】  前記ライブラリコントローラは、前記少なくとも１つのデータ転送要素への／からの前記媒体の移動を制限し、前記データ収容要素スロットは１つの同じパーティションに割り当てられ、前記少なくとも１つのデータ転送要素は１つの同じ前記パーティションに割り当てられる、請求項１記載のライブラリ。
【請求項３】  前記パーティションはそれぞれ、複数の既存のライブラリモデルのうちの既存のデータライブラリモデルに対応する前記データ転送要素の少なくとも１つおよび前記データ収容要素スロットの少なくとも１つを備える、請求項１または２記載のライブラリ。
【請求項４】  前記ライブラリコントローラは、ユーザに対して前記パーティションそれぞれを前記対応する既存のデータライブラリモデルとして識別する、請求項３記載のライブラリ。
【請求項５】  前記ライブラリコントローラは、前記対応する既存のデータライブラリモデルのベンダー、前記対応する既存のデータライブラリモデルの製品識別、および前記対応する既存のデータライブラリモデルの製品改訂レベルからなる応答群の少なくとも１つの応答を提供することによって照会コマンドに応答する、請求項３または４記載のライブラリ。
【請求項６】  前記パーティションの少なくとも１つにおける前記データ収容要素スロットの少なくとも１つは、インポート／エクスポートスロットとして定義される、請求項１または２記載のライブラリ。
【請求項７】  前記パーティションそれぞれの前記外部要素アドレスは、同じ要素番号から開始される、請求項１または２記載のライブラリ。
【請求項８】  ストレージエリアネットワークに取り付けるように適合されるデータライブラリを分割する方法であって、
異なる論理装置名称を複数のライブラリパーティションそれぞれに割り当てるステップと、
少なくとも１つの媒体移送要素、複数のデータ転送要素、および複数の収容要素スロットに、一意の内部要素番号のセットを付けるステップであって、前記収容要素スロットはそれぞれ媒体を収容するように適合され、前記データ転送要素はそれぞれ、前記媒体を受け取り、前記媒体へ／からデータを転送するように適合され、前記少なくとも１つの媒体移送要素は、前記収容要素スロットと前記データ転送要素との間で媒体を移動するように適合され、
前記データライブラリにおいて前記パーティションを確立するステップであって、前記パーティションはそれぞれ、前記収容要素スロットの少なくとも１つ、前記データ転送要素の少なくとも１つ、および前記少なくとも１つの媒体移送要素の少なくとも１つを含み、
前記パーティションそれぞれにおける前記媒体移送要素、前記収容要素スロット、および前記データ転送要素に、前記パーティションそれぞれの同じ外部に提示される要素番号から開始する外部に提示される要素番号を付け直すステップと、
前記パーティションそれぞれの前記外部に提示される要素番号を前記内部要素番号にマッピングするステップと、
同じパーティションに割り当てられた前記スロットへの／からの前記媒体の移動を制御するステップと、
を含む方法。
【請求項９】  前記制御するステップは、同じ１つのパーティションに割り当てられた前記データ転送要素への／からの前記媒体の移動を制御するステップを含み、１つの同じパーティションに割り当てられた複数の前記収容要素スロットおよび１つの同じパーティションに割り当てられた複数の前記データ転送要素は、１つの同じパーティションに割り当てられる、請求項８記載の方法。
【請求項１０】  前記確立するステップは、既存のデータライブラリモデルに対応する多数の前記収容要素スロットおよび多数の前記データ転送要素を有する前記パーティションそれぞれを確立することを含む、請求項８または９記載の方法。
【手続補正書】
【提出日】平成17年12月5日(2005.12.5)
【手続補正１】
【補正対象書類名】明細書
【補正対象項目名】特許請求の範囲
【補正方法】変更
【補正の内容】
【特許請求の範囲】
【請求項１】  オンデマンドでデータ記憶容量を提供する方法であって、
データライブラリのデータ媒体収容スロット要素およびデータ転送要素のセットをディスエーブルし、前記データライブラリのエンドユーザによる前記ディスエーブルしたセットへのアクセスを許可しないステップと、
前記ディスエーブルしたセットを除き、前記データライブラリのアクティブなデータ媒体収容スロット要素およびアクティブなデータ転送要素のセットの少なくとも一部を分割して前記エンドユーザが使用するパーティションにするステップと、
前記エンドユーザの記憶容量への権利の変更に応答して前記セットを再定義するステップと、
を含む方法。
【請求項２】  前記ディスエーブルしたデータ媒体収容スロット要素およびデータ転送要素のセットの少なくとも一部を前記エンドユーザの１人への現在および将来の使用のために確保するステップをさらに含む、請求項１記載の方法。
【請求項３】  前記再定義するステップは、前記エンドユーザの１人からの追加の記憶容量への注文に応答して、第２のセットの少なくとも１つの要素を第１のセットに移動するステップをさらに含む、請求項１または２記載の方法。
【請求項４】  前記追加の記憶容量について前記１人のエンドユーザに料金を課すことをさらに含む、請求項３記載の方法。
【請求項５】  前記データライブラリは、ストレージサービスプロバイダによって制御され、前記エンドユーザは前記ストレージサービスプロバイダの顧客である、請求項１または２記載の方法。
【請求項６】  第１のセットにおける要素の数を前記エンドユーザの１人が購入したライセンスのキーに基づいてチェックするステップをさらに含む、請求項１または２記載の方法。
【請求項７】  前記再定義するステップは、前記１人のエンドユーザからの追加の記憶容量の注文および前記要素が利用可能なことに応答して、第２のセットの少なくとも１つの要素を第１のセットに移動するステップを含む、請求項１または２記載の方法。
【請求項８】  前記利用可能なことは少なくとも部分的に前記エンドユーザの１人によるライセンスに基づく、請求項７記載の方法。
【請求項９】  前記ライセンスが前記再定義に十分な権利を欠くことに応答して、前記再定義するステップを阻止するステップをさらに含む、請求項８記載の方法。
【請求項１０】  ライセンス取得されたライブラリ容量を拡張するステップをさらに含む、請求項８記載の方法。
【手続補正書】
【提出日】平成17年11月22日(2005.11.22)
【手続補正１】
【補正対象書類名】明細書
【補正対象項目名】発明の名称
【補正方法】変更
【補正の内容】
【発明の名称】有機ＥＬ装置及び電子機器
【手続補正２】
【補正対象書類名】明細書
【補正対象項目名】特許請求の範囲
【補正方法】変更
【補正の内容】
【特許請求の範囲】
【請求項１】
基板上に、スイッチング素子と、該スイッチング素子に接続された第１電極とが、マトリックス状に複数配置されてなる第１電極領域と、
前記第１電極の上方に形成された機能層と、
発光用電源回路と前記第１電極とを前記スイッチング素子を介して電気的に接続する発光用電源配線と、
前記複数の第１電極に対して共通に設けられ、かつ、その一部が前記発光用電源配線と重なるように設けられ第２電極と、
を含み、
該発光用電源配線は、
前記第１電極領域に配置され、前記第１電極に前記スイッチング素子を介して接続される第１の部分と、
前記基板の外周と前記第１電極領域との間に配置され、前記第１の部分に接続される第２の部分と、
を有し、
前記発光用電源配線の前記第２の部分と前記第２電極との間に設けられた絶縁膜は、前記発光用電源配線の前記第１の部分と前記第２電極との間に設けられた絶縁膜と比して薄い部分があることを特徴とする有機ＥＬ装置。
【請求項２】  
前記発光用電源配線の前記第２の部分と前記第２電極との間に設けられるとともに、前記第１の部分と前記第２電極との間に設けられた第１の絶縁膜と、
前記機能層を区画するとともに、前記発光用電源配線の前記第１の部分と前記第２電極との間に設けられた第２の絶縁膜と、を有することを特徴とする請求項１に記載の有機ＥＬ装置。
【請求項３】
前記基板の外周と前記第１電極領域との間に設けられたダミー領域をさらに含み、
機能層が、前記第１電極領域において前記第１電極の上方に設けられるとともに、前記ダミー領域において前記発光用電源配線の前記第２の部分と前記第２電極との間に設けられ、
絶縁膜が、該機能層を区画するとともに、前記発光用電源配線の前記第１の部分と前記第２電極との間に設けられていることを特徴とする請求項１又は２に記載の有機ＥＬ装置。
【請求項４】
前記ダミー領域において、前記スイッチング素子に接続されていない第３電極が前記機能層の下方に設けられていることを特徴とする請求項３に記載の有機ＥＬ装置。
【請求項５】  前記機能層の膜厚は前記絶縁膜の膜厚より薄く形成されてなることを特徴とする請求項３に記載の有機ＥＬ装置。
【請求項６】  請求項１乃至請求項５のいずれかに記載の表示装置を具備してなることを特徴とする電子機器。
【手続補正３】
【補正対象書類名】明細書
【補正対象項目名】０００９
【補正方法】変更
【補正の内容】
【０００９】
【課題を解決するための手段】
上記の目的を達成するために、本発明は以下の構成を採用した。
本発明の有機ＥＬ装置は、基板上に、スイッチング素子と、該スイッチング素子に接続された第１電極とが、マトリックス状に複数配置されてなる第１電極領域と、前記第１電極の上方に形成された機能層と、発光用電源回路と前記第１電極とを前記スイッチング素子を介して電気的に接続する発光用電源配線と、前記複数の第１電極に対して共通に設けられ、かつ、その一部が前記発光用電源配線と重なるように設けられ第２電極と、を含み、該発光用電源配線は、前記第１電極領域に配置され、前記第１電極に前記スイッチング素子を介して接続される第１の部分と、前記基板の外周と前記第１電極領域との間に配置され、前記第１の部分に接続される第２の部分と、を有し、前記発光用電源配線の前記第２の部分と前記第２電極との間に設けられた絶縁膜は、前記発光用電源配線の前記第１の部分と前記第２電極との間に設けられた絶縁膜と比して薄い部分があることを特徴とする。
また、本発明の有機ＥＬ装置は、先に記載の有機ＥＬ装置であって、前記発光用電源配線の前記第２の部分と前記第２電極との間に設けられるとともに、前記第１の部分と前記第２電極との間に設けられた第１の絶縁膜と、前記機能層を区画するとともに、前記発光用電源配線の前記第１の部分と前記第２電極との間に設けられた第２の絶縁膜と、を有することを特徴とする。
また、本発明の有機ＥＬ装置は、先に記載の有機ＥＬ装置であって、前記基板の外周と前記第１電極領域との間に設けられたダミー領域をさらに含み、機能層が、前記第１電極領域において前記第１電極の上方に設けられるとともに、前記ダミー領域において前記発光用電源配線の前記第２の部分と前記第２電極との間に設けられ、絶縁膜が、該機能層を区画するとともに、前記発光用電源配線の前記第１の部分と前記第２電極との間に設けられていることを特徴とする。
また、本発明の有機ＥＬ装置は、先に記載の有機ＥＬ装置であって、前記ダミー領域において、前記スイッチング素子に接続されていない第３電極が前記機能層の下方に設けられていることを特徴とする。
また、本発明の有機ＥＬ装置は、先に記載の有機ＥＬ装置であって、前記機能層の膜厚は前記絶縁膜の膜厚より薄く形成されてなることを特徴とする。
本発明の表示装置は、スイッチング素子に接続された第１電極が基板上にマトリックス状に配置されてなる第１電極領域と、前記第１電極領域の周囲に配置され、前記第１電極に接続される発光用電源配線と、前記第１電極の上方に形成された機能層と、を含み、前記機能層の上方に少なくとも第２電極の一部が形成され、前記発光用電源配線と前記第２電極との間に第１の静電容量が設けられてなることを特徴とする。
【手続補正書】
【提出日】平成18年1月12日(2006.1.12)
【手続補正１】
【補正対象書類名】明細書
【補正対象項目名】００１３
【補正方法】変更
【補正の内容】
【００１３】
【発明の実施の形態】
本発明に従うピンツールアッセンブリは、図１〜５において概ね数字の１０により識別されている。ピンツールアッセンブリ１０は、ベースプレート１２、複数のピン１４、ウエイトプレート１６、および、トランシジョンカバー１８を含んでいる。ピンツールアッセンブリ１０は、従来技術におけるディスペンサヘッド２０およびドッキングトレー２２とともに使用される。ドッキングトレー２２は、他の全く同一のドッキングトレーに積み重ねることができるものであり、二つのそのドッキングトレー２２は、図１〜４に示されている。従来技術におけるディスペンサヘッド２０は、対向する上面２６と、下面２８を有する下部壁２４とを含んでいる。複数の側壁３０は、支持および寸法的な安定性のために下部壁２４から上方に突き出ている。取付け用フランジは、下部壁２４の上面２６から上方に突き出ており、予め設定されたＸ，Ｙ，Ｚ座標の配置でディスペンサヘッド２０を移動させることができるロボット装置（不図示）にしっかり取り付けるように構成されている。
【手続補正２】
【補正対象書類名】明細書
【補正対象項目名】００２２
【補正方法】変更
【補正の内容】
【００２２】
ディスペンサーヘッド２０の取付用フランジは、指定された一連のＸ，Ｙ，Ｚ座標による移動のために予めプログラムされたロボット装置に固定される。ロボット装置は、ピペットレセプタクル５８との近接した関係によりディスペンサヘッド２０を移動させ、それから、ピペット３４がレセプタクル５８に入れ子式に入るようにディスペンサ２０を下降させる。ピペット３４とレセプタクル５８との間の摩擦力が、ピンツールアッセンブリ１０をディスペンサヘッド２０に保持する。それから、ロボット装置は、ディスペンサヘッド２０およびピンツールアッセンブリ１０を持ち上げる。従って、ピンツールアッセンブリ１０は、ドッキングトレー２２から引き離される。ロボット装置は、それから、ソースプレート（不図示）の貯蔵部と一直線となってディスペンサヘッド２０およびピンツールアッセンブリ１０を移動させる。ピンツールアッセンブリ１０のソースプレートに対する下方への移動により、ピン１４が各貯蔵部内に入り、その中の液体に接触する。選択されたピン１４は、ベースプレート１２に対し移動し、ソースプレート内の寸法的な不規則を補い、液体内の各ピン１４の略等しい挿入を確実にする。ロボット装置は、それから、ディスペンサヘッド２０およびピンツールアッセンブリ１０を上昇させ、そのソースプレートから離し、選択された移動先に向けて移動させる。少量の液体（例えば、１０ｎＬ）は、各ピン１４に残るであろう。ピン１４は、各ピン１４の液滴がその基板上に誘発するように移動先で接触せしめられ得る。そのロボット装置は、それから、ディスペンサヘッド２０およびピンツール１０をドッキングトレー２２に戻し、ピンツールアッセンブリ１０をディスペンサヘッド２０から引き離す。従って、ピンツールアッセンブリ１０は、ドッキングトレー２２に残ることとなる。ピンツールアッセンブリ１０およびドッキングトレー２２は、それから、清浄および再利用するために廃棄または再利用され得る。同時に、そのロボット装置は、ディスペンサヘッド２０を他のピンツールアッセンブリ１０に移動させる。
【手続補正書】
【提出日】平成17年11月16日(2005.11.16)
【手続補正１】
【補正対象書類名】明細書
【補正対象項目名】特許請求の範囲
【補正方法】変更
【補正の内容】
【特許請求の範囲】
【請求項１】遺伝モデルに基づいて、コンピュータにより実施される最適化プロセスの一部として、増殖を行うための方法であって、
一組の交配組み合わせを生成するステップであって、該交配組み合わせのそれぞれは、一組の染色体から選択される第１の染色体および第２の染色体を含み、該染色体のそれぞれは、少なくとも１つの遺伝子を含む、ステップと、
前記交配組み合わせのそれぞれに、合成スコアを割り当てるステップと、
バイアスされた乱数値を用いて、或る特定の前記交配組み合わせを選択するステップであって、該バイアスされた乱数値は、好適な合成スコアを有する前記交配組み合わせに有利に作用し、該特定の交配組み合わせの前記第１の染色体および前記第２の染色体は、第１の親および第２の親をそれぞれ構成する、ステップと、
前記第１の親の遺伝子を、前記第２の親の対応する遺伝子と比較するステップと、
前記第１の親および前記第２の親の両方に共通の少なくとも１つの遺伝子を、子の染色体の対応する遺伝子に複製するステップと、
前記第１の親および前記第２の親の間で異なる少なくとも１つの優性遺伝子を、前記子の染色体の対応する遺伝子に複製するステップと、
を含む方法。
【請求項２】遺伝モデルに基づいて、コンピュータにより実施される最適化プロセスの一部として、増殖を行うための方法であって、
一組の交配組み合わせを生成するステップであって、該交配組み合わせのそれぞれは、一組の染色体から選択される第１の染色体および第２の染色体を含み、該染色体のそれぞれは、少なくとも１つの遺伝子を含む、ステップと、
前記交配組み合わせのそれぞれに、合成スコアを割り当てるステップと、
前記交配組み合わせを、関連する前記合成スコアに従って、最も好適なものから最も好適でないものへとソートするステップであって、該ソートされた交配組み合わせのそれぞれは、関連付けられた指標を有する、ステップと、
ゼロおよび１の間で均一に分散された乱数値を生成するステップと、
前記乱数値を、１より大きい所定数で累乗して、バイアスされた乱数値を生成するステップと、
前記交配組み合わせの数に、前記バイアスされた乱数値を乗算して、選択指標を計算するステップと、
前記選択指標に対応する指標を持つ交配組み合わせの第１および第２の染色体を、第１および第２の親としてそれぞれ選択するステップと、
前記第１の親の遺伝子を、前記第２の親の対応する遺伝子と比較するステップと、
前記第１の親および前記第２の親の両方に共通な少なくとも１つの遺伝子を、子の染色体の対応する遺伝子に複製するステップと、
前記第１の親および前記第２の親の間で異なる少なくとも１つの優性遺伝子を、前記子の染色体の対応する遺伝子に複製するステップと、
を含む、方法。
【請求項３】遺伝モデルに基づいて、コンピュータにより実施されるプロセスの一部として増殖を行い、複数のインスタンスを有する集積回路の電力消費およびタイミングを最適化するための方法であって、
一組の染色体を提供するステップであって、該染色体のそれぞれは、前記集積回路のインスタンスについて一組の設計上の選択を表す複数の遺伝子を有しており、該インスタンスのそれぞれは、該インスタンスのサイズを表す第１の遺伝子および該インスタンスのしきい値電圧を表す第２の遺伝子にマッピングされる、ステップと、
それぞれの前記染色体について、該染色体の遺伝子により特定される前記一組の設計上の選択に対応する前記集積回路の電力消費およびタイミング性能をシミュレートするステップと、
それぞれの前記染色体に、該染色体についてシミュレートされた前記電力消費およびタイミング性能に従って、スコアを割り当てるステップと、
一組の交配組み合わせを生成するステップであって、該交配組み合わせのそれぞれは、前記一組の染色体から選択された第１の染色体および第２の染色体を有する、ステップと、
それぞれの前記交配組み合わせに合成スコアを割り当てるステップであって、該合成スコアは、前記第１の染色体に関連付けられたスコアと前記第２の染色体に関連付けられたスコアとの積である、ステップと、
前記交配組み合わせを、関連する前記合成スコアに従って、最も好適なものから最も好適でないものへとソートするステップであって、該ソートされた交配組み合わせのそれぞれは、関連付けられた指標を有する、ステップと、
ゼロおよび１の間で均一に分散された乱数値を生成するステップと、
前記乱数値を、１より大きい所定数で累乗して、バイアスされた乱数値を生成するステップと、
前記交配組み合わせの数に、前記バイアスされた乱数値を乗算して、選択指標を計算するステップと、
前記選択指標に対応する指標を持つ交配組み合わせの第１および第２の染色体を、第１および第２の親としてそれぞれ選択するステップと、
前記第１の親の遺伝子を、前記第２の親の対応する遺伝子と比較するステップと、
前記第１の親および前記第２の親の両方に共通な少なくとも１つの遺伝子を、子の染色体の対応する遺伝子に複製するステップと、
前記第１の親および前記第２の親の間で異なる少なくとも１つの優性遺伝子を、前記子の染色体の対応する遺伝子に複製するステップと、
を含む、方法。
【手続補正書】
【提出日】平成18年8月23日(2006.8.23)
【手続補正１】
【補正対象書類名】明細書
【補正対象項目名】００２６
【補正方法】変更
【補正の内容】
【００２６】
図５において、前記ブラケット１５におけるフレーム側部１５ａ，１５ａの下部には、車体中心線Ｃの両側に配置される左右一対のハンガ部６４，６５が下方に突出して一体に設けられる。一方、エンジンＥのクランクケース２０における後部側上部には、前記両ハンガ部６４，６５間に介在するようにしてボス部２０ａが一体に設けられており、該ボス部２０ａは、軸方向に比較的長い拡径頭部７０ａを一端側に有して両ハンガ部６４，６５および前記ボス部２０ａに挿通される通しボルト７０を介して車体フレームＦに支持される。
【手続補正２】
【補正対象書類名】明細書
【補正対象項目名】００３４
【補正方法】変更
【補正の内容】
【００３４】
さらに車体フレームＦにおけるブラケット１５に設けられて該ブラケット１５から下方に突出する左右一対のハンガ部６４，６５のうち、車体中心線Ｃに関してチェーン伝動手段２７とは反対側に配置されるハンガ部６５には、通しボルト７０の一端側の拡径頭部７０ａを挿通せしめる挿通孔６８と、該挿通孔６８の内面に通じて下方に開放するすり割り６９とが設けられるとともに、すり割り６９の幅を狭めて前記挿通孔６８を縮径する締付ボルト７３が螺合されている。しかもハンガ６４および前記ボス部２０ａ間にはスペーサ７１が介装され、通しボルト７０は、その軸線に沿う方向でのボス部２０ａとの相対位置を規制されて両ハンガ部６４，６５およびボス部２０ａに挿通される。
【手続補正書】
【提出日】平成18年8月23日(2006.8.23)
【手続補正１】
【補正対象書類名】明細書
【補正対象項目名】特許請求の範囲
【補正方法】変更
【補正の内容】
【特許請求の範囲】
【請求項１】  車体フレーム（Ｆ）に設けられて該車体フレーム（Ｆ）から下方に突出する左右一対のハンガ部（６４，６５）に、エンジン（Ｅ）の上部に設けられて前記両ハンガ部（６４，６５）間に介在するボス部（２０ａ）が、前記両ハンガ部（６４，６５）および前記ボス部（２０ａ）に挿通される通しボルト（７０）を介して支持され、後輪（ＷＲ）を軸支するリヤスイングアーム（２２）の前端部が前記エンジン（Ｅ）に揺動可能に支承され、前記エンジン（Ｅ）の動力を前記後輪（ＷＲ）に伝達するチェーン伝動手段（２７）が、前記エンジン（Ｅ）の左右いずれか一側に配置される自動二輪車において、前記両ハンガ部（６４，６５）のうち車体中心線（Ｃ）に関して前記チェーン伝動手段（２７）とは反対側に配置される一方のハンガ部（６５）には、前記通しボルト（７０）の一端側の拡径頭部（７０ａ）を挿通せしめる挿通孔（６８）と、該挿通孔（６８）の内面に通じて下方に開放するすり割り（６９）とが設けられ、前記通しボルト（７０）が該通しボルト（７０）の軸線に沿う方向での前記ボス部（２０ａ）との相対位置を規制されて前記両ハンガ部（６４，６５）および前記ボス部（２０ａ）に挿通された状態で前記すり割り（６９）の幅を狭めて前記挿通孔（６８）を縮径する締付ボルト（７３）が、前記一方のハンガ部（６５）に螺合されることを特徴とする自動二輪車におけるエンジン支持構造。
【手続補正２】
【補正対象書類名】明細書
【補正対象項目名】００２７
【補正方法】変更
【補正の内容】
【００２７】
図５において、前記ブラケット１５におけるフレーム側部１５ａ，１５ａの下部には、車体中心線Ｃの両側に配置される左右一対のハンガ部６４，６５が下方に突出して一体に設けられる。一方、エンジンＥのクランクケース２０における後部側上部には、前記両ハンガ部６４，６５間に介在するようにしてボス部２０ａが一体に設けられており、該ボス部２０ａは、軸方向に比較的長い拡径頭部７０ａを一端側に有して両ハンガ部６４，６５および前記ボス部２０ａに挿通される通しボルト７０を介して車体フレームＦに支持される。
【手続補正３】
【補正対象書類名】明細書
【補正対象項目名】００３５
【補正方法】変更
【補正の内容】
【００３５】
さらに車体フレームＦにおけるブラケット１５に設けられて該ブラケット１５から下方に突出する左右一対のハンガ部６４，６５のうち、車体中心線Ｃに関してチェーン伝動手段２７とは反対側に配置されるハンガ部６５には、通しボルト７０の一端側の拡径頭部７０ａを挿通せしめる挿通孔６８と、該挿通孔６８の内面に通じて下方に開放するすり割り６９とが設けられるとともに、すり割り６９の幅を狭めて前記挿通孔６８を縮径する締付ボルト７３が螺合されている。しかもハンガ６４および前記ボス部２０ａ間にはスペーサ７１が介装され、通しボルト７０は、その軸線に沿う方向でのボス部２０ａとの相対位置を規制されて両ハンガ部６４，６５およびボス部２０ａに挿通される。
【手続補正書】
【提出日】平成18年9月11日(2006.9.11)
【手続補正１】
【補正対象書類名】明細書
【補正対象項目名】特許請求の範囲
【補正方法】変更
【補正の内容】
【特許請求の範囲】【請求項１】脳波入力手段１と、入力した脳波から、人が眠りに入ろうとする状態を示すシータ波や、睡眠中に現れるデルタ波を解析する脳波分析手段２と、自動操船装置３から成り、脳波に占めるシータ波やデルタ波の比率が高まった時に、衝突防止、座礁防止のため、自動操船装置３による操舵が  自動的に開始される、脳波で起動される自動操船装置。【請求項２】脳波に占めるシータ波やデルタ波の比率が小さくなったら、自動操船が解除される、請求項１の脳波で起動される自動操船装置。【請求項３】当直員のほか、非番の航海士にも、脳波入力手段１を使わせておる時、当直員の居眠りが検出された時には、当直員へ警報しつつ、非番の航海士のうち、そのデルタ波の比率が最も小さい者から優先して、警報を発して起こすようにした、請求項１の脳波で起動される自動操船装置。【請求項４】当直員のほか、非番の航海士にも脳波入力手段１を着用させておる時、航海士に関わるデータ、たとえば、その海域に詳しいとかを登録しておき、その者へ優先して警報を発するようにした、請求項１の脳波で起動される自動操船装置。【請求項５】居眠り中の航海士へスプリンクラー１１から放水し、居眠りから目を覚ますようにした、請求項１の脳波で起動される自動操船装置。
【手続補正書】
【提出日】平成18年8月23日(2006.8.23)
【手続補正１】
【補正対象書類名】明細書
【補正対象項目名】００３０
【補正方法】変更
【補正の内容】
【００３０】
一方の前記軸孔９１には、他方の軸孔９０に挿通されるボルト９２の一端の拡径頭部９２ａが挿入され、リンク連結部８８の外側面に係合するナット９３がボルト９２の他端に螺合される。第２リンク部材８１の他端部は、両リンク連結部８８，８９間でボルト９２にニードルベアリング９４を介して回動可能に連結される。而してニードルベアリング９４の内輪９４ａをリンク連結部８８および拡径頭部９２ａ間で挟み込むようにナット９３を締付けることで、両リンク連結部８８，８９間で第２リンク部材８１ががたつくことを回避しつつ、第２リンク部材８１の他端をアーム支持部材２１に回動可能に連結することができる。
【手続補正書】
【提出日】平成18年8月2日(2006.8.2)
【手続補正１】
【補正対象書類名】明細書
【補正対象項目名】請求項１
【補正方法】変更
【補正の内容】
【請求項１】シートを備え、燃料ボンベに気体燃料を充填し、該気体燃料で作動するエンジンを備えた気体燃料自動車において、  前記燃料ボンベを後輪側方の車体に複数本配置し、該燃料ボンベを車両の前後方向に沿って取り付けられたブラケットに保持ブラケットによって２箇所で固定するとともに、保護カバーで覆ったことを特徴とする気体燃料自動車。【手続補正２】
【補正対象書類名】明細書
【補正対象項目名】請求項２
【補正方法】変更
【補正の内容】
【請求項２】前記シートの内、左右一対の後部シートを車両の前後方向に平行に相対向して配設し、該後部シートの下部に夫々、前記燃料ボンベをその軸線が前記車両の前後方向に向くように配置したことを特徴とする請求項１記載の気体燃料自動車。【手続補正３】
【補正対象書類名】明細書
【補正対象項目名】請求項３
【補正方法】変更
【補正の内容】
【請求項３】前記シートの内、後部シートを車両の前後方向に対して直交して配設し、該後部シートの下部に前記燃料ボンベをその軸線が前記車両の前後方向に対して直交するように配置したことを特徴とする請求項１記載の気体燃料自動車。【手続補正４】
【補正対象書類名】明細書
【補正対象項目名】０００８
【補正方法】変更
【補正の内容】
【０００８】    【課題を解決するための手段】  本発明は、上記課題を解決するための手段として、請求項１記載に記載された発明によれば、シートを備え、燃料ボンベに気体燃料を充填し、該気体燃料で作動するエンジンを備えた気体燃料自動車において、前記燃料ボンベを後輪側方の車体に複数本配置し、該燃料ボンベを車両の前後方向に沿って取り付けられたブラケットに保持ブラケットによって２箇所で固定するとともに、保護カバーで覆ったことを特徴とするものである。【手続補正５】
【補正対象書類名】明細書
【補正対象項目名】０００９
【補正方法】変更
【補正の内容】
【０００９】  また、請求項２記載の発明は、請求項１に記載されたものにおいて、前記シートの内、左右一対の後部シートを車両の前後方向に平行に相対向して配設し、該後部シートの下部に夫々、前記燃料ボンベをその軸線が前記車両の前後方向に向くように配置したことを特徴とするものである。
【手続補正６】
【補正対象書類名】明細書
【補正対象項目名】００１５
【補正方法】変更
【補正の内容】
【００１５】  図１乃至図３に示す気体燃料自動車１は、二つの後部シート３を車両の前後方向に平行に、かつ、背もたれ部３ａが互いに向き合うようにフロアパネル４に配設されたものである。このような後部シート３の下部に気体燃料を充填した燃料ボンベ２を配置している。燃料ボンベ２は、その軸線が車両の前後方向に向くように各後部シート３の下部に夫々一本ずつ計２本配置されている。したがって、左右二本の燃料ボンベ２は、その軸線が車両の前後方向に向くよう互いに平行に配設されていることになる。
【手続補正７】
【補正対象書類名】明細書
【補正対象項目名】００２３
【補正方法】変更
【補正の内容】
【００２３】  このように後部シート３の下部に燃料ボンベ２を配置することにより生じる段差部分（高さ分）を平均的な搭乗者の膝の高さに合わせるようにする。そして、図８に示すように、後部シート３の背もたれ部３ａを座部３ｃ側に倒して燃料ボンベ２の略段差部分に背もたれ部３ａを収めるようにすれば、車体後部にフラットな荷室を確保することができる。なお、二列目の後部シート３のヘッドレス３ｂは取り外して足下の段差部分の空間１６に収容する。作用は前述の実施の形態と略同様なので、これについての再度の説明は省略する。
【手続補正８】
【補正対象書類名】明細書
【補正対象項目名】００２６
【補正方法】変更
【補正の内容】
【００２６】    【発明の効果】  本発明は、以上説明したように構成された気体燃料自動車であるから、請求項１に記載された発明によれば、燃料ボンベの長さの規制が回避され、容量を増加させることができる。さらに、燃料ボンベを複数本配置することが可能なので、これによっても容量を増加させることができる。このように容量が増加すれば、燃料の充填量を大幅に増加させることが可能になり航続距離を大きく延ばすことができる。
【手続補正書】
【提出日】平成18年1月16日(2006.1.16)
【手続補正１】
【補正対象書類名】明細書
【補正対象項目名】発明の名称
【補正方法】変更
【補正の内容】
【発明の名称】インクジェットヘッドの製造方法、インクジェット記録装置並びに液滴吐出装置及び画像形成装置
【手続補正２】
【補正対象書類名】明細書
【補正対象項目名】特許請求の範囲
【補正方法】変更
【補正の内容】
【特許請求の範囲】
【請求項１】  インク液滴を吐出する単一又は複数のノズル孔と、該ノズル孔の各々に連結する吐出室と、該吐出室の少なくとも一方の壁を構成する振動板と、該振動板に変形を生じさせる駆動手段とを備え、該駆動手段が前記振動板を静電気力により変形させる個別電極からなるインクジェットヘッドの製造方法であって、前記振動板を形成する第一の基板が単結晶Ｓｉ基板であり、前記個別電極を形成する第二の基板がガラス基板であり、前記振動板と前記個別電極との間に対向間隔を保持するための手段として、前記第一の基板にＳｉＯ2膜のギャップスペーサを形成するかもしくは前記第二の基板に凹部を掘りこんで、前記振動板と前記個別電極を対向させて前記第一の基板と前記第二の基板を陽極接合した後、前記振動板をエッチングにより所望の厚さに形成する際に、同時に複数の個別前記電極の各個別電極用電圧印加端子部（以下、個別電極用外部電極）が配置されている面積に対向する前記第一の基板中の、前記面積を含むそれ以上の大きさの領域（以下、コンタクト部）を、前記振動板と同じ厚さにエッチングする工程を施した後、該コンタクト部に残存するＳｉをドライエッチングにて開口する工程を有するインクジェットヘッドの製造方法において、少なくとも前記コンタクト部に対向する前記個別電極用外部電極上には、Ｓｉドライエッチに対して耐性があり、前記電極に対して選択的に除去可能なエッチングカバー膜を形成しておくことを特徴とするインクジェットヘッドの製造方法。
【請求項２】  請求項１において、前記エッチングカバー膜に要求される特性に加え、高い絶縁膜性を併せもつエッチングカバー膜を各個別電極用外部電極上全面に形成した前記第二の基板を用いることを特徴とするインクジェットヘッドの製造方法。
【請求項３】  請求項１において、前記個別電極を形成する第二基板が単結晶Ｓｉ基板であり、前記振動板と前記個別電極とに対向間隔を保持するための手段として、前記第一の基板にＳｉＯ2膜のギャップスペーサを形成するかもしくは前記第二の基板にあらかじめ形成したＳｉＯ2膜に凹部を掘りこんで、前記振動板と前記個別電極を対向させて前記第一の基板と前記第二の基板を直接接合し、かつ、少なくとも前記コンタクト部に対向する各個別電極用外部電極上には、Ｓｉドライエッチに対して耐性があり、ＳｉＯ2膜と同程度以上のエッチングレートで前記電極に対して選択的に除去可能なエッチングカバー膜を形成しておくことを特徴とするインクジェットヘッドの製造方法。
【請求項４】  請求項３において、前記エッチングカバー膜に要求される特性に加え、高い絶縁性を併せもつエッチングカバー膜を各個別電極上全面に形成した前記第二の基板を用いることを特徴とするインクジェットヘッドの製造方法。
【請求項５】  請求項４において、前記各個別電極が形成されている前記第二の基板のＳｉＯ2膜の凹部の膜厚をａ、前記振動板に対向する前記各個別電極上に形成するエッチングカバー膜の厚さをｂ、前記コンタクト部に対向する前記各個別電極用外部電極上に形成するエッチングカバー膜の厚さをｃとすると、少なくともｂ＞ａの関係がある場合は、ｃ＜ｂの関係を満たすように前記各個別電極上のエッチングカバー膜の膜厚に分布をもたせた前記第二の基板を用いることを特徴とするインクジェットヘッドの製造方法。
【請求項６】  請求項３又は４又は５において、ドライエッチングにより前記コンタクト部を開口後、該開口部から露出している前記各個別電極用外部電極上に残存するエッチングカバー膜を除去した後、前記各個別電極用外部電極上でかつその面積内に、引き続き金属膜の成膜を行うことを特徴とするインクジェットヘッドの製造方法。
【請求項７】  請求項３又は４又は５において、前記振動板をエッチングにより所望の厚さに形成する際に、コンタクト部中の前記個別電極用外部電極に対向する位置（凹部）は前記振動板と同じ厚さに、それ以外の領域（凸部）は前記振動板よりも厚くなるように形成し、その後、前記コンタクト部中の前記個別電極用外部電極に対向する位置（凹部）にはＳｉを残さず、それ以外の領域（凸部）にはＳｉが残るようにドライエッチングする工程を施した際、前記凸部に残ったＳｉの長さをｄ、Ｓｉ間の距離をｅ、前記コンタクト部に対向する前記各個別電極用外部電極の最小幅をｆ、長さをｇとしたとき、ｅ＜ｆ、ｄ＜ｇの関係を満たすような形状にすることを特徴とするインクジェットヘッドの製造方法。
【請求項８】  請求項７において、ドライエッチングにより前記コンタクト部を開口後、該開口部から露出している前記各個別電極用外部電極上の残存するエッチングカバー膜を除去した後、引き続き金属膜の成膜を行うことを特徴とするインクジェットヘッドの製造方法。
【請求項９】  請求項１乃至８いずれかに記載のインクジェットヘッドの製造方法で製造されたインクジェットヘッドを搭載したことを特徴とするインクジェット記録装置。
【請求項１０】  請求項１乃至８いずれかに記載のインクジェットヘッドの製造方法で製造されたインクジェットヘッドを搭載したことを特徴とする液滴吐出装置。
【請求項１１】  請求項１乃至８いずれかに記載のインクジェットヘッドの製造方法で製造されたインクジェットヘッドを搭載したことを特徴とする画像形成装置。
【手続補正３】
【補正対象書類名】明細書
【補正対象項目名】０００１
【補正方法】変更
【補正の内容】
【０００１】
【発明の属する技術分野】
本発明は、インクジェットヘッドの製造方法、インクジェット記録装置並びに液滴吐出装置及び画像形成装置、より詳細には、記録を必要とするときにのみインク液滴を吐出し、記録紙面に付着させるインクジェット記録装置の主要部であるインクジェットヘッドの製造方法、並びに該製造方法で製造されたインクジェットヘッドを搭載したインクジェット記録装置、液滴吐出装置及び画像形成装置に関し、特に、その駆動方式として静電気力を利用するインクジェットヘッドに関する。
【手続補正４】
【補正対象書類名】明細書
【補正対象項目名】００２０
【補正方法】変更
【補正の内容】
【００２０】
請求項８の発明は、請求項７の発明において、ドライエッチングにより前記コンタクト部を開口後、該開口部から露出している前記各個別電極用外部電極上の残存するエッチングカバー膜を除去した後、引き続き金属膜の成膜を行うことを特徴としたものである。
請求項９、１０および１１の発明は、請求項１乃至８いずれかに記載のインクジェットヘッドの製造方法で製造されたインクジェットヘッドを搭載したインクジェット記録装置、液滴吐出装置および画像形成装置であることを特徴とする。